(57)【要約】      （修正有）【課題】衣類は勿論のこと、シーツ等の横幅の大きい洗濯物等にも使用できると共に、いずれの場合も布地の前・後間に風通し用空間を形成して乾燥を早めることができ、かつ物干し竿が無くて物干ロープを用いて干す場合にも使用可能な、洗濯物等の物干し補助具を提供する。【解決手段】洗濯物等の物干し補助具であって、上部に物干し竿１へ吊下げ用部２を、その下部に続く基部に、物干しロープやハンガー下部の横杆を係合可能な係合用孔８と、下部前・後方向へ開くように付勢された一対のアーム部１１ａ、１１ｂとを有し、かつ上記アーム部の各下部に左・右方向へ、空間形成用の横棒１２ａ、１２ｂを設ける。【選択図】図２
0003177571.tif 000002
【実用新案登録請求の範囲】
【請求項１】
上部に物干し竿１への吊下げ用部２を有し、その下部に続く基部４に、物干しロープ６やハンガー７下部の横杆１３を係合可能な係合用孔８と、枢支部５により下部で前・後方向へ開き得る一対のアーム部１１と、該アーム部１１を開く方向へ付勢する弾性部材１０とを有し、
かつ上記アーム部１１の各下部に、空間形成用の横棒１２を左・右方向へ設けてなる、洗濯物等の物干し補助具。
【請求項２】
上部に、物干し竿１へ吊下げ可能なリング状部２になり得る半リング状部３ａ，３ｂを前・後方向へ対向状に有して、該半リング状部３ａ，３ｂの各下部に続く基部４ａ，４ｂに、半リング状部３ａ，３ｂを前・後方向へ開閉可能とする枢支部５と、各基部４ａ，４ｂ対向面に物干しロープ６やハンガー下部の横杆１３を係合可能な係合用孔８となり得る凹欠部９ａ，９ｂとを有すると共に、アーム部１１ａ，１１ｂを開き、半リング状部３ａ，３ｂや凹欠部９ａ，９ｂを閉じる方向へ付勢する弾性部材１０を有し、
かつ上記各基部４ａ，４ｂの各下部に、前・後に斜め方向へ続くアーム部１１ａ，１１ｂを有して、該各アーム部１１ａ，１１ｂの下部に、左・右方向へ空間形成用の横棒１２ａ，１２ｂを設けてなる、請求項１に記載の洗濯物等の物干し補助具。
【請求項３】
左・右方向への各空間形成用横棒１２ａ，１２ｂを、アーム部１１ａ，１１ｂの下部に固定的に設けた、請求項１又は２に記載の洗濯物等の物干し補助具。
【請求項４】
左・右方向への各空間形成用横棒１２ａ，１２ｂを、アーム部１１ａ，１１ｂの下部で脱着可能に設けた、請求項１又は２に記載の洗濯物等の物干し補助具。
【請求項５】
左・右方向への各空間形成用横棒１２ａ，１２ｂを、アーム部１１ａ，１１ｂまたはその下部で折り畳み可能に設けた、請求項１又は２に記載の洗濯物等の物干し補助具。
【請求項６】
左・右方向への各空間形成用横棒１２ａ，１２ｂを、アーム部１１ａ，１１ｂの下部に回動可能に設けた、請求項１又は２に記載の洗濯物等の物干し補助具。
【請求項７】
左・右方向への空間形成用各横棒１２ａ，１２ｂを、各アーム部１１ａ，１１ｂの下部で昇降可能に設けた、請求項１又は２に記載の洗濯物等の物干し補助具。
【請求項８】
左・右方向への各空間形成用横棒１２ａ，１２ｂを、各アーム部１１ａ，１１ｂ下部に設けた横向き部分１８ａ，１８ｂで左右方向へ伸縮可能に設けた、請求項１又は２に記載の洗濯物等の物干し補助具。
【請求項９】
左・右方向への各空間形成用横棒１２ａ，１２ｂを、各アーム部１１ａ，１１ｂの下部に設けた逆Ｔ字状部材１６ａ，１６ｂの各横向き部分で行うようにさせた、請求項１又は２に記載の洗濯物等の物干し補助具。
【考案の詳細な説明】
【技術分野】
【０００１】
本考案は、洗濯物等の物干し補助具に関するもので、例えば洗濯物その他の物を干す場合に、風通しを良くして乾きを早くするために用いるものである。
【背景技術】
【０００２】
洗濯物等を物干し竿や物干しロープに吊り掛けて干した場合に、布地の前・後の間隔、例えば衣類では前身頃と後身頃の間隔が物干し竿の直径分しか生じない。またハンガーを用いる場合は、ハンガーの棒状部の直径が小さいので、さらに布地の前・後の間隔がせまくなる。そのため、布地の前・後の間隔で風の通りが悪く、乾きが遅くなりがちである。そこで、洗濯物等を干す際に布地の前・後の間隔を広くし、風の通りを良くするための工夫を施したものが幾つか提案されている。
【先行技術文献】
【特許文献】
【０００３】
１）ハンガーに工夫をしたもの。
【特許文献１】特開２００１−１６２０９３号公報    これは、「物干し竿等に懸吊可能なフック体を有する衣類等の物干しハンガーであって、同形状または近似形状の一対のハンガー部と、各々のハンガーを接続する架橋部と、前記フック体脚部と該架橋部とを接合する間節部とから構成」されたものである。
【０００４】
【特許文献２】特開２００６−１４１６５９号公報    これは、「洗濯物を掛けるハンガーのタオル等を掛ける部分であるバー４を二又にして、通風用の空間を持たせることで、洗濯物の前身頃と後身頃間の風通しをよくし、速やかな乾燥を可能とする」ものである。特許文献１と異なる点は、二又状のバーの部分がハンガー部と固定的に一体形成されている。
【０００５】
【特許文献３】実用新案登録第３１４６９３７号公報    これは、上記特許文献２と類似したものであるが、両側の傾斜部の先端間に、洗濯物を掛ける横棒９を一方を支点として開閉可能に設けると共に、洗濯物の内側を広げる湾曲した一対のガード棒を前・後に設けたものである。これにより、一対のガード棒で洗濯物を前身頃と後身頃間を広げて通風用の空間を持たせると共に、その洗濯物で横棒に掛けた例えば女性用下着等を目隠し可能としてある。特開２０１１−５０７１０もこれに似たものである。
【０００６】
【特許文献４】特開２００５−３４５７９号公報    これは、大・小の長さのハンガー横棒を、大が上部に、小を下部になるように配置すると共に、下部のハンガー横棒を中央の縦軸の周りに９０度回動可能としたものである。上部のハンガー横棒に掛けた洗濯物を、上部のハンガー横棒に対して９０度回した下側の横棒で前身頃と後身頃間に風通用の空間を持たせられるようにしてあり、これと類似のものとして、特開２００７−１５２０５４公報や実開平５−１４７６公報に記載のものがある。
【０００７】
２）洗濯ばさみに工夫を施したもの。
【特許文献５】特開２０１１−４０８号公報    これは、「洗濯物を干すときに物干しハンガーに取り付けて洗濯物の乾きを速くするための補助具であって、鋏みピンチと、その鋏みピンチの左右の摘み部に固着したＵ字形線条体とからなる構成であり」、このＵ字形線条体を衣類の内側に入れて用いることで、衣類の前身頃と後身頃間を広くして通風を良くしようとするものである。
【０００８】
【特許文献６】実用新案登録第３１７４３７７号公報    これは、「洗濯バサミの先端にＵ型または、半円または、丸型または、四角型または、三角型または、台形型または、ひし形または、六角形のいずれかの突起を設けること」により、この突起を靴下やトランクス内に入れて洗濯物に空間をつくり、空気の通りを良くして乾燥時間を短縮するものである。
【０００９】
【特許文献７】特開２００４−２６７６５８号公報    これは、「対向して設けた左右一対の挟持部材の上下中央部の一部を重合し、この重合部分を枢支部として前記一対の挟持部材を回動可能に構成するとともに、両挟持部材の間に設けた弾性部材ににって両挟持部材の上部を外方へ付勢して摘み操作部とし、かつ両挟持部材の下部を内方へ付勢して挟持部を形成してなる洗濯ばさみであって、挟持部は物干し竿に被せられた洗濯物における物干竿被い部分を挟持可能に形成され、挟持部の外側面に外方へ延びる腕部が設けられ、腕部にピンチ吊持ち用の吊持ち部が設けられている」ものである。
【００１０】
この使用状態は、例えば物干竿に被せられて挟持部で固定された長尺洗濯物の両側の先端辺をピンチでそれぞれ挟持することにより、単なる洗濯ばさみで用いた場合よりも広い空間部が形成されて風通しが良くなるし、洗濯物が地面等に着くことがなく汚れない、というものである。
【考案の概要】
【考案が解決しようとする課題】
【００１１】
上記特許文献１に記載のものは、例えば衣類はハンガー部に吊掛ければ、ハンガー部の横桟により布地の前・後間に間隔を開けて干すことができる。しかし、タオルのような偏平な洗濯物はハンガー部の横桟に吊掛けるが、その横桟の横幅は使用勝手から通常４０ｃｍ程度と制約があるため、バスタオルやシーツ等のような横幅のあるものはそこに吊掛けて干すことができないし、ハンガーのフック部を物干し竿に引っかけた際にハンガー部の横杆の位置が物干し竿より通常１５ｃｍほど下方にくるため、シーツ等の長寸のものは下端縁が地面に着いて汚れてしまうことになる。
【００１２】
特許文献２や特許文献３に記載のものも、例えば衣類はハンガー部に吊掛ければ、二股状に間隔をもって設けた横桟により、布地の前身頃と後身頃・後間に間隔を開けて干すことができる。
【００１３】
しかし、タオルのような偏平な洗濯物はやはりハンガー部の横桟に吊掛けるが、横桟の横幅は通常４０ｃｍ程度であるため、バスタオルやシーツ等のような横幅のあるものは吊掛けて干すことができない。またハンガー部の横桟の位置が、フック部を引掛けた物干し竿より通常１５ｃｍほど下方にくるため、やはりシーツ等の長寸のものは下端縁が地面に着いて汚れてしまうことになる。
【００１４】
特許文献４に記載のものは、例えば衣類はハンガー部の上段部分に吊掛け、下段部分を９０度回動させることで、布地の前身頃と後身頃間に風通用の空間を持たせられる。しかしこれは、バスタオルやシーツのような偏平な洗濯物を、このハンガーでは干すことができない。特開２００７−１５２０５４公報や実開平５−１４７６公報に記載のものも同様である。
【００１５】
特許文献５に記載のものは、ハンガーに吊掛けた衣類の内側にこのＵ字形線条体を入れて用いることで、衣類の前身頃と後身頃間を広くできて、洗濯物の乾きを速くできる。しかしこの補助具では、バスタオルやシーツのような偏平な洗濯物の乾燥に用いることはできない。
【００１６】
特許文献６に記載のものも、靴下やトランクス等の乾燥には役立つが、それだけであって、バスタオルやシーツのような偏平な洗濯物の乾燥に用いることはできない。
【００１７】
特許文献７に記載のものは、物干竿に被せられて挟持部で固定されたバスタオルやシーツ等の長尺洗濯物の両側をピンチでそれぞれ挟持して吊下げることで、布地間に広い空間が形成され風通しが良くなる。しかしこれは、バスタオルやシーツ等の長尺洗濯物の専用のような補助具であるし、これを物干竿を設置してある場所以外で、例えば物干ロープを用いる場合に使用できない。
【００１８】
本考案は、上記従来のものが有する問題点の解消を課題としたものである。即ち本考案の目的は、洗濯物等が衣類の場合は勿論のこと、バスタオルやシーツ等の長尺物を横幅の大きい洗濯物等でも吊下げて用いることができると共に、いずれの洗濯物等でも布地の前・後間に空間を形成して風通しがよく、乾燥を早めることができ、かつ  物干竿を設置してある場所以外に限らず、例えば物干ロープを用いて乾燥する場合にも使用できる、洗濯物等の物干し補助具を提供することにある。
【課題を解決するための手段】
【００１９】
本考案に係る洗濯物等の物干し補助具は、
上部に物干し竿１への吊下げ用部２を有し、その下部に続く基部４に、物干しロープ６やハンガー７下部の横杆１３を係合可能な係合用孔８と、枢支部５により下部で前・後方向へ開き得る一対のアーム部１１と、該アーム部１１を開く方向へ付勢する弾性部材１０とを有し、
かつ上記アーム部１１の各下部に、空間形成用の横棒１２を左・右方向へ設けてなるものである。
【００２０】
上記構成を少し具体化した例で説明すれば、上部に、物干し竿１へ吊下げ用部としてリング状部２になり得る半リング状部３ａ，３ｂを有し、
該半リング状部３ａ，３ｂの各下部に続く基部４ａ，４ｂに、半リング状部３ａ，３ｂを前・後方向へ開閉可能とする枢支部５と、両基部４ａ，４ｂの対向面に物干しロープ６またはハンガー７の下部横杆１３を係合可能な係合用孔８となり得る凹欠部９ａ，９ｂを有すると共に、半リング状部３ａ，３ｂが閉じる方向へ付勢する弾性部材１０を有し、
かつ上記各基部４ａ，４ｂの各下部に、前・後方向へ続くアーム部１１ａ，１１ｂを有して、該各アーム部１１ａ，１１ｂの下部に、左・右方向へ空間形成用の横棒１２ａ，１２ｂを設けてなるものである。
【００２１】
上記構成で、左・右方向とは洗濯物等を干す人から見ての左・右の方向、換言すれば洗濯物等に対面した状態での左・右方向であり、前・後方向とはその人から見ての前・後の方向である（例えば図２，図３，図４参照）。通常は、物干し竿１と平行な方向が左・右方向で、前・後方向はそれと直角な方向であるが、ハンガー７を用いて干す場合に、そのフック部の向きによっては、物干し竿１と平行な方向が前・後方向となり、左・右方向はそれと直角な方向となる（例えば図１０参照）。
【００２２】
また枢支部５は、短い横軸によって回動可能とすればよいが、既存の洗濯ばさみ同様に、両基部４ａ，４ｂ間の当接部を支点として回動可能な枢支部としてもよい。弾性部材１０は、半リング状部３ａ，３ｂを枢支部５で回動して、閉じる方向へ付勢するものであれば、ネジリコイル状バネでも、板状や棒状バネを湾曲させたものでもよく、その種類を問うものではない。これらによって、リング状部２や係合用孔８が枢支部５により開・閉可能としてある。
【考案の効果】
【００２３】
上記本考案に係る洗濯物等の物干し補助具によれば、次のような作用・効果を奏する。  イ）洗濯物等１４として例えばバスタオルのような偏平状のものを干す場合。
まず本物干し補助具Ａを、その吊下げ用部２で物干し竿１に吊り下げておき、その上からバスタオルのような洗濯物等１４を、物干し竿１に被せるようにして吊り掛ければよい（例えば上記図２参照）。
【００２４】
この場合に本補助具Ａは、前・後方向へ続く各アーム部１１ａ，１１ｂの下部に設けた空間形成用の横棒１２ａ，１２ｂが、物干し竿１の少し下方位置で前・後方向へ間隔をおいて並行状になっている（上記図２参照）。そのため、洗濯物等１４は、物干し竿１の少し下方位置で前・後方向へ拡がることになるから、風通し用の空間１５が形成されて（例えば上記図２参照）、乾燥を速く行うことができる。
【００２５】
ロ）次に、洗濯物等１４としてシーツのような横幅が大きいものを干す場合。
この場合は複数個の本物干し補助具Ａを、各吊下げ用部２で物干し竿１に少し間隔をおいて吊り下げておき（例えば図３参照）、その上からシーツのような洗濯物等１４を、物干し竿１に被せるようにして吊り掛ければよい（例えば上記図３参照）。
【００２６】
これで、各補助具Ａのアーム部１１ａ，１１ｂ下部の空間形成用の横棒１２ａ，１２ｂが、物干し竿１の少し下方位置において、洗濯物等１４を前・後方向へ拡げることになるから、洗濯物等１４は両側端まで連通するような風通し用の空間１５が形成されて、乾燥を速く行うことができる。
【００２７】
ハ）また、洗濯物等１４として例えばシャツのようなものを干す場合。
本物干し補助具Ａを、その基部４の円形状丸孔８を開いてハンガー７の下部の横杆１３に嵌め入れて、吊り下げる（例えば図６参照）。そしてそのハンガー７にシャツのような洗濯物等１４を吊り掛けて、ハンガー７上部のフック部で物干し竿１に吊り下げればよい（例えば図４参照）。
【００２８】
これにより、ハンガー７に吊りかけられたシャツ等の洗濯物等１４は、内部に入った本物干し補助具Ａが、アーム部１１ａ，１１ｂ下部の横棒１２ａ，１２ｂで、内側から前身頃と後身頃の間を拡げることになる（例えば上記図４参照）。そのため、シャツ等の洗濯物等１４は、前身頃と後身頃がくっつくことなく風通し用の空間１５が形成されて（例えば上記図４参照）、乾燥を速く行うことができる。
【００２９】
上記場合に、ハンガー７に予めシャツ等の洗濯物等１４を吊り掛けておき、該洗濯物等１４の下方から本物干し補助具Ａを中に差し入れて、ハンガー下部の横杆１３に吊り掛けるようにしてもよい。
【００３０】
なお、上記はいずれも物干し竿１に吊り下げて干す場合であるが、物干し竿１の代わりに物干しロープ６を用いる場合も同様であり、上記基部４の係合用孔８で物干しロープ６に係合させて吊り下げればよい（例えば図５参照）。また、上記のハンガー４でフック部の向きが異なる場合（例えば上記図１０参照）には、上記での「前・後方向」が左・右方向に、「左・右方向」が前・後方向ということになる。
【考案を実施するための形態】
【００３１】
洗濯物等１４の乾きを早めるようにするため、上部に物干し竿１へ吊下げ用部２を有し、その下部に続く基部４に、物干しロープ６やハンガー７下部の横杆１３を係合可能な係合用孔８と、下部前・後方向へ開く一対のアーム部１１とを設け、かつ上記アーム部１１の各下部に左・右方向へ空間形成用の横棒１２を設ける。
【実施例１】
【００３２】
図１ないし図１０は、本考案に係る物干し補助具Ａの実施例を示し、対称状の２つの部材を前・後方向に対向する如く枢支部５で連結させて構成している。
【００３３】
１は、本物干し補助具Ａの上部に形成されるリング状部を示し、前・後方向へ対向状の部材の各上部に形成した半リング状部３ａ，３ｂが、後記弾性部材１０の付勢力で前後から当接することでリング状に形成され、本補助具Ａを物干し竿１へ吊り下げ可能とする部分である。
【００３４】
４ａ，４ｂは上記半リング状部３ａ，３ｂの各下部に続く基部を示す。この基部４ａ，４ｂには、半リング状部３ａ，３ｂを前・後方向へ開閉可能とする枢支部５としての横軸を設けると共に、各基部４ａ，４ｂの対向側面に両者が当接時に係合用孔８を形成可能な凹欠部９ａ，９ｂを形成してある。この係合用孔８は、物干しロープ６またはハンガー７下部の横杆１３を通挿可能な内径としてある。
【００３５】
１０は弾性部材を示し、ここでは後記各アーム部１１ａ，１１ｂの下側面に、常時は該アーム部１１ａ，１１ｂが開く方向へ付勢しており、それは同時に上記半リング状部３ａ，３ｂが閉じてリング状部２を形成すると共に、半円弧状の凹欠部９ａ，９ｂが当接して係合用孔８となるように付勢している。ここでは板状バネを用いており、アーム部１１ａ，１１ｂの開閉時に引っ掛からぬように、長手方向へ摺動可能に掛止して設けてある。なお弾性部材１０は、通常の洗濯ぱさみで用いられているコイル状その他のバネでもよい。        
【００３６】
上記アーム部１１ａ，１１ｂは、上記各基部４ａ，４ｂの下部に続いて前・後方向へ斜め状に形成してある。そして、該アーム部１１ａ，１１ｂの下部には、本物干し補助具Ａを物干し竿１に吊るした際に、それと並行状とになるように左・右方向へ空間形成用の横棒１２ａ，１２ｂを設けてある。
【００３７】
上記空間形成用の横棒１２ａ，１２ｂは、上記各アーム部１１ａ，１１ｂの下部に、ここでは別体で逆Ｔ字状部材１６ａ，１６ｂを設け、その横向き部分１８ａ，１８ｂに横棒１２ａ，１２ｂを摺動可能に設けてある。即ち、逆Ｔ字状部材１６ａ，１６ｂを、縦向き部分１７ａ，１７ｂで各アーム部１１ａ  １１ｂに沿って上下方向への位置を可変に摺動可能とし、また横向き部分１８ａ，１８ｂで横棒１２ａ，１２ｂを、最大で２０ｃｍ程度から不使用時に短縮可能に摺動可能としてある。
【００３８】
この逆Ｔ字状部材１６ａ，１６ｂとアーム部１１ａ，１１ｂや空間形成用の横棒１２１ａ，１２ｂとの摺動は、摩擦力で係止が可能なようにしてあるが、抜け止め防止の係止部（図示略）を設けてもよい。
【００３９】
本補助具Ａの材質は、弾性部材１０以外はここではポリプロピレン樹脂を用いたが、これに限るものではない。弾性部材１０は、ここでは鋼製の板状バネを用いたが、それに限らず、ネジリコイル状バネでも、棒状バネを湾曲させたものでも、その他のものであってもよい。また上記で示した寸法は例示であって、これに限定するものではない。
【００４０】
なお、上記アーム部１１ａ，１１ｂ下部の空間形成用の横棒１２ａ，１２ｂは、上記と異なり固定式としてもよいし、公知の手段を用いて着・脱可能式としてもよく、さらに回動式や折り曲げ式としてもよい（例えば図７，図８参照）。また、横棒１２ａ，１２ｂの伸縮を考えないのであれば、逆Ｔ字状部材１６ａ，１６ｂの横向き部分を、空間形成用の横棒１２ａ，１２ｂとしてもよい（例えば図９参照）。
【００４１】
上記実施例に係る物干し補助具の使用状態は、次のようになる。
イ）洗濯物等１４として例えばバスタオルやシーツのような偏平状のものを干す場合。  この場合の本物干し補助具Ａの使用方法は、両アーム部１１ａ，１１ｂを側方から手で握り、弾性部材１０の付勢に抗して半リング状部３ａ，３ｂを前・後方向へ開いて、物干し竿１にリング状部２を嵌め入れて手を放す。これで、半リング状部３ａ，３ｂが、弾性部材１０の付勢力で閉じて元のリング状となり、物干し竿１に吊り下げられる（例えば図２，図３参照）。
【００４２】
この状態で、バスタオルのような洗濯物等１４を物干し竿１に、本物干し補助具Ａのリング状部２上方から被せるようにして吊り掛ければよい（例えば上記図２参照）。この場合に本補助具Ａは、物干し竿１の少し下方位置で前・後方向へ続く各アーム部１１ａ，１１ｂを有し、かつその下部に設けた空間形成用の横棒１２ａ，１２ｂが前・後方向への間隔をおいて並行状になっている（上記図２参照）。そのため、物干し竿１に上から被せるように吊り掛けた洗濯物等１４は、物干し竿１の少し下方位置で前・後方向へ拡がることになるから、風通し用の空間１５が形成されて（例えば上記図２参照）、乾燥を速く行うことができる。
【００４３】
ロ）次に、洗濯物等１４としてシーツのような横幅が大きいものを干す場合。
複数個の本物干し補助具Ａの各リング状部２を、上記と同様にして物干し竿１の下方から嵌め入れて、物干し竿１上に間隔をおいて吊り下げる。そして、洗濯物等１４を各リング状部２の上方から物干し竿１に被せるように吊り掛ければよい（例えば図３参照）。これで上記と同様に、物干し竿１の少し下方位置において、各補助具Ａのアーム部１１ａ，１１ｂ下部の空間形成用の横棒１２ａ，１２ｂが、洗濯物等１４を前・後方向へ拡げることになるから、洗濯物等１４は両側端まで連通するような風通し用の空間１５が形成され、乾燥を速く行うことができる。
【００４４】
ハ）また、洗濯物等１４として例えばシャツのようなものを干す場合。
本物干し補助具Ａを、上記と同様に両アーム部１１ａ，１１ｂを握り、弾性部材１０の付勢に抗して開いた凹欠部９ａ，９ｂで、円形状丸孔８をハンガー７の下部の横杆１３に套合させて吊り下げておく。そしてそのハンガー７に、シャツのような洗濯物等１４を吊り掛けて、上部のフック部を物干し竿１に吊り下げればよい（例えば上記図４参照）。
【００４５】
これにより、ハンガー７に吊り掛けられたシャツのような洗濯物等１４は、本物干し補助具Ａの前・後の下方向で、アーム部１１ａ，１１ｂ下部の横棒１２ａ，１２ｂが、内側から前身頃と後身頃の間を拡げることになる。そのため、シャツのようなの洗濯物等１４は、前身頃と後身頃がくっつくことなく風通し用の空間１５が形成されて（例えば上記図４参照）、乾燥を速く行うことができる。
【００４６】
上記場合に、ハンガー７に予めシャツような洗濯物等１４を吊り掛けておき、該洗濯物等１４の下方から本物干し補助具Ａを差し入れて、ハンガー下部の横杆１３に吊り掛けるようにしてもよい。これで上記と同様に、空間形成用の横棒１２ａ，１２ｂが、洗濯物等１４の前身頃と後身頃の間を拡げて風通し用空間１５を形成し、乾燥を早めることができる。
【００４７】
なお、上記はいずれも物干し竿１を用いて干す場合であるが、物干し竿１を用いずに物干しロープ６を用いる場合も同様である（例えば図５参照）。
【００４８】
上記の空間形成用の横棒１２ａ，１２ｂは、伸縮式、回動式、折り曲げ式等としてあれば（例えば上記図１，図８，図９参照）、この補助具Ａの不使用時に嵩張らずに収納しておける。
【図面の簡単な説明】
【００４９】
【図１】本考案に係る物干し補助具の実施例の斜視図である。
【図２】図１で示したもので、物干し竿を用いてバスタオルを干す場合の斜視図である。
【図３】図１で示したもので、シーツを干す場合の斜視図である。
【図４】図１で示したもので、ハンガーにシャツを干す場合の斜視図である。
【図５】図１で示したものを、物干しロープで使用する場合の斜視図である。
【図６】図４で示した使用例の一部拡大斜視図である。
【図７】本考案に係る物干し補助具で、空間形成用の横棒部分を回動可能とした実施例の斜視図である。
【図８】本考案に係る物干し補助具で、空間形成用の横棒部分を折り畳み可能とした実施例の斜視図である。
【図９】本考案に係る物干し補助具で、空間形成用の横棒を逆Ｔ字状部材の横棒部分に兼用させた実施例の斜視図である。
【図１０】ハンガーのフック部の向きが異なる場合にシャツを干す場合の斜視図である。
【産業上の利用可能性】
【００５０】
洗濯物等１４を干す場合に、衣類は勿論のこと、バスタオルやシーツ等の横幅の大きい洗濯物等に用いても、干した状態の布地の前・後間に空間１５を形成して風通しを良くし、乾きを早めると共に、物干し竿に限らず物干ロープでも使用できる補助具を安価に製造可能とする。
【符号の説明】
【００５１】
Ａ−物干し補助具
１−物干し竿
２−吊下げ用部，リング状部
３ａ，３ｂ−半リング状部
４，４ａ，４ｂ−基部
５−枢支部
６−物干しロープ
７−ハンガー
８−係合用孔
９ａ，９ｂ−凹欠部
１０−弾性部材
１１，１１ａ，１１ｂ−アーム部
１２，１２ａ，１２ｂ−横棒
１３−下部横杆
１４−洗濯物等
１５−空間
１６−逆Ｔ字状部材
１７ａ，１７ｂ−縦向き部分
１８ａ，１８ｂ−横向き部分
【図１】
0003177571.tif 000003
【図２】
0003177571.tif 000004
【図３】
0003177571.tif 000005
【図４】
0003177571.tif 000006
【図５】
0003177571.tif 000007
【図６】
0003177571.tif 000008
【図７】
0003177571.tif 000009
【図８】
0003177571.tif 000010
【図９】
0003177571.tif 000011
【図１０】
0003177571.tif 000012